(57)【要約】 【課題】ケーブルガイドを変形したり、取り外したりすることなく、簡易にケーブルを組み付けることができる配索方向転換部材を提供する。【解決手段】配索方向転換部材１０は、配索方向転換部材本体１１に取り付けられたプーリ１２と、該プーリ１２のフランジ１３の円周部の一部に沿って該フランジ１３の円周部とのクリアランスが前記ケーブルＣの外径よりも小さい位置に配設されたケーブルガイド１４とを備え、前記プーリ１２は、ケーブルＣを掛けるプーリ溝１６側に前記フランジ１３の外側からケーブルＣを通す切欠き部１７が少なくとも片側のフランジ１３の一部に形成され、前記切欠き部１７は、前記フランジ１３の側方から前記プーリ溝１６側に通されたケーブルＣと前記ケーブルガイド１４との間にクリアランスが生じる深さｄ１を有し、前記切欠き部１７から前記プーリ溝１６に通されたケーブルＣは、前記プーリ１２が１回転する間に前記プーリ溝１６に掛かる。【選択図】図１
2006170238.tif 000002
【特許請求の範囲】
【請求項１】
ケーブルを用いて遠隔操作する装置における、ケーブルの配索方向を転換する配索方向転換部材において、
配索方向転換部材本体に取り付けられたプーリと、該プーリのフランジの円周部の一部に沿って該フランジの円周部とのクリアランスが前記ケーブルの外径よりも小さい位置に配設されたケーブルガイドとを備え、
前記プーリは、ケーブルを掛けるプーリ溝側に前記フランジの外側からケーブルを通す切欠き部が少なくとも片側のフランジの一部に形成され、
前記切欠き部は、前記フランジの側方から前記プーリ溝側に通されたケーブルと前記ケーブルガイドとの間にクリアランスが生じる深さを有し、
前記切欠き部から前記プーリ溝に通されたケーブルは、前記プーリが１回転する間に前記プーリ溝に掛かることを特徴とする配索方向転換部材。
【請求項２】
ケーブルを用いて遠隔操作する装置における、ケーブルの配索方向を転換する配索方向転換部材において、
配索方向転換部材本体に取り付けられたプーリと、該プーリのフランジの円周部の一部に沿って該フランジの円周部とのクリアランスが前記ケーブルの外径よりも小さい位置に配設されたケーブルガイドとを備え、
前記プーリは、前記フランジに前記ケーブルの端部に取り付けられたエンドピースを保持する切欠き部が形成され、
該切欠き部は、保持した前記エンドピースと前記ケーブルガイドとの間にクリアランスが生じる深さを有し、
前記切欠き部に前記エンドピースが保持されたケーブルは、前記プーリが１回転する間に前記プーリ溝に掛かることを特徴とする配索方向転換部材。
【発明の詳細な説明】
【技術分野】
【０００１】
本発明は、ケーブルを用いて遠隔操作する装置における、ケーブルの配索方向を転換する配索方向転換部材に関する。
【背景技術】
【０００２】
従来のケーブルの配索方向転換部材としては、例えば図１０に示すようなものがある。
すなわち、ケーブル１０１をストロークさせている途中で何らかの原因によってケーブル１０１が弛んだときに、プーリ１０２の溝１０２ａからケーブル１０１が外れないようにするためのケーブルガイド１０３を備えたものである。
【０００３】
このケーブルガイド１０３を備えた配索方向転換部材１００は、以下に例示するような方法でケーブル１０１をプーリ１０２に掛けていた。
【０００４】
第１の例は、ケーブルガイド１０３が配索方向転換部材本体１０６に着脱可能に固定されている場合である。この場合は、図１０に示したようにケーブルガイド１０３を配索方向転換部材本体１０６とは別体のものとして、ケーブル１０１をプーリ１０２に配索した後に、ケーブルガイド１０３を配索方向転換部材本体１０６にビス１０８等によって固定するという方法である。
【０００５】
第２の例は、ケーブルガイド１０３が配索方向転換部材本体１０６に一体に形成されており、着脱できない場合である。この場合は、予めプーリ１０２を該プーリ１０２の回転軸となる回転中心ピンとともに配索方向転換部材本体１０６から取り外しておく。このプーリ１０２の溝１０２ａにケーブル１０１の一端部側を入れた状態にして、プーリ１０２を回転中心ピンによって配索方向転換部材本体１０６に組み付け、この回転中心ピンが配索方向転換部材本体１０６から脱落しないようにスナップピンなどを取り付けるという方法である。
【０００６】
第３の例は、第２の例と同様にケーブルガイド１０３が配索方向転換部材本体１０６から着脱できない場合である。この方法では、予めケーブルガイド１０３をプーリ１０２の外径とのクリアランスがケーブルの外径よりも大きくなるように変形させて拡げておく。次に、この拡げた部分からケーブル１０１をプーリ１０２の溝１０２ａに入れた後に、クリアランスがケーブルの外径よりも小さくなる位置までケーブルガイド１０３を変形させて戻すという方法である。
【発明の開示】
【発明が解決しようとする課題】
【０００７】
しかしながら、これらの従来の技術には、次のような問題点があった。
第１の例では、ケーブルガイド１０３が配索方向転換部材本体１０６と別体であること、ケーブルガイド１０３を配索方向転換部材本体１０６に取り付けるためのビス１０８等が必要であることから、部品点数が多くなるという問題点があった。
【０００８】
第２の例でも、スナップピン等の取り外し可能な締付部品を使用するので部品点数が多くなるという問題点があった。
【０００９】
また、回転中心ピンを加工して、スナップピン等を組み付けるための穴等を形成する必要があるので、回転中心ピンの部品コストが高くなるという問題点があった。
【００１０】
また、第１の例および第２の例ともに部品点数が多いことから、プーリ１０２の組み付けに工数がかかるという共通の問題点があった。
【００１１】
第３の例では、ケーブルガイド１０３の変形量を所定の範囲内で管理することが難しいという問題点があった。
【００１２】
また、ケーブルガイド１０３はケーブル１０１の交換の度に繰り返し変形されるので、耐久性が悪くなるという問題点があった。
【００１３】
本発明は、このような従来の技術が有する問題点に着目してなされたもので、ケーブルガイドを変形したり、取り外したりすることなく、簡易にケーブルを組み付けることができる配索方向転換部材を提供することを目的としている。
【課題を解決するための手段】
【００１４】
かかる目的を達成するための本発明の要旨とするところは、次の各項の発明に存する。
［１］ケーブルを用いて遠隔操作する装置における、ケーブル（Ｃ）の配索方向を転換する配索方向転換部材（１０）において、
配索方向転換部材本体（１１）に取り付けられたプーリ（１２）と、該プーリ（１２）のフランジ（１３）の円周部の一部に沿って該フランジ（１３）の円周部とのクリアランスが前記ケーブル（Ｃ）の外径よりも小さい位置に配設されたケーブルガイド（１４）とを備え、
前記プーリ（１２）は、ケーブル（Ｃ）を掛けるプーリ溝（１６）側に前記フランジ（１３）の外側からケーブル（Ｃ）を通す切欠き部（１７）が少なくとも片側のフランジ（１３）の一部に形成され、
前記切欠き部（１７）は、前記フランジ（１３）の側方から前記プーリ溝（１６）側に通されたケーブル（Ｃ）と前記ケーブルガイド（１４）との間にクリアランスが生じる深さ（ｄ１）を有し、
前記切欠き部（１７）から前記プーリ溝（１６）に通されたケーブル（Ｃ）は、前記プーリ（１２）が１回転する間に前記プーリ溝（１６）に掛かることを特徴とする配索方向転換部材（１０）。
【００１５】
［２］ケーブルを用いて遠隔操作する装置における、ケーブル（Ｃ）の配索方向を転換する配索方向転換部材（１０Ａ）において、
配索方向転換部材本体（１１Ａ）に取り付けられたプーリ（１２Ａ）と、該プーリ（１２Ａ）のフランジ（１３Ａ）の円周部の一部に沿って該フランジ（１３Ａ）の円周部とのクリアランスが前記ケーブル（Ｃ）の外径よりも小さい位置に配設されたケーブルガイド（１４）とを備え、
前記プーリ（１２Ａ）は、前記フランジ（１３Ａ）に前記ケーブル（Ｃ）の端部に取り付けられたエンドピース（２０）を保持する切欠き部（１７Ａ）が形成され、
該切欠き部（１７Ａ）は、保持した前記エンドピース（２０）と前記ケーブルガイド（１４）との間にクリアランスが生じる深さ（ｄ２）を有し、
前記切欠き部（１７Ａ）に前記エンドピース（２０）が保持されたケーブル（Ｃ）は、前記プーリ（１２Ａ）が１回転する間に前記プーリ溝（１６）に掛かることを特徴とする配索方向転換部材（１０Ａ）。
【００１６】
前記本発明は次のように作用する。
本発明の［１］に示した配索方向転換部材（１０）は、遠隔操作する装置Ａにて使用されるケーブル（Ｃ）の配索方向を転換するが、ケーブル（Ｃ）を配索方向転換部材（１０）のプーリ（１２）に取り付ける際には、プーリ（１２）をフランジ（１３）の切欠き部（１７）が露出するところまで回転させておく。フランジ（１３）の切欠き部（１７）は、少なくとも片側のフランジ（１３）に形成してあればよいが、両側のフランジ（１３）に形成してもよい。
【００１７】
この状態では、切欠き部（１７）を通るようにしてケーブル（Ｃ）をフランジ（１３）の外側からプーリ溝（１６）側に導くことができる。このようにケーブル（Ｃ）をセットしたら、ケーブル（Ｃ）がプーリ溝（１６）側からフランジ（１３）の外側に延びる方向にプーリ（１２）を回転させる。プーリ（１２）のこの回転によりケーブル（Ｃ）は切り欠かれたフランジ（１３）部分に引っ掛かるようにしてプーリ（１２）の回転方向に引っ張られる。
【００１８】
ケーブル（Ｃ）がプーリ（１２）から外れることを防止するためのケーブルガイド（１４）がフランジ（１３）の円周部の一部に沿って該フランジ（１３）の円周部とのクリアランスが前記ケーブル（Ｃ）の外径よりも小さい位置に配設されている。プーリ（１２）の回転により、切欠き部（１７）がこのケーブルガイド（１４）の下方に至っても、前記切欠き部（１７）は、前記フランジ（１３）の外側から前記プーリ溝（１６）側に通されたケーブル（Ｃ）と前記ケーブルガイド（１４）との間にクリアランスが生じる深さ（ｄ１）を有しているので、ケーブル（Ｃ）はケーブルガイド（１４）の下を通過することができる。
【００１９】
プーリ（１２）がさらに回転して、ケーブル（Ｃ）がプーリ溝（１６）から離れる位置に至ると、切欠き部（１７）を通るケーブル（Ｃ）は切欠き部（１７）から外れるようにしてプーリ溝（１６）から離れる。ケーブル（Ｃ）の後続部分は、直接にプーリ溝（１６）に入ってプーリ（１２）に掛かるようになる。ケーブル（Ｃ）は、プーリ（１２）を１回転させる間にプーリ（１２）に掛けることができる。
【００２０】
これにより、ケーブルガイド（１４）を配索方向転換部材本体（１１）から外したり、フランジ（１３）とのクリアランスがケーブル（Ｃ）の外径よりも大きくなるように折り曲げたりすることなく、配索方向転換部材（１０）にケーブル（Ｃ）を容易に掛けることができる。
【００２１】
また、［２］に示した配索方向転換部材（１０Ａ）の場合は、フランジ（１３Ａ）の外側からプーリ溝（１６）にケーブル（Ｃ）を通す切欠き部（１７）の変わりに、ケーブル（Ｃ）の端部に取り付けられたエンドピース（２０）を保持する切欠き部（１７Ａ）が形成されている。
【００２２】
この場合は、ケーブル（Ｃ）を配索方向転換部材（１０Ａ）に組み付ける際には、プーリ（１２Ａ）を切欠き部（１７Ａ）が露出するところまで回転させておく。切欠き部（１７Ａ）は、両側のフランジ（１３Ａ）の略同位置に形成されており、この両側の切欠き部（１７Ａ）にエンドピース（２０）の両端部を入れることによってエンドピース（２０）は保持される。この切欠き部（１７Ａ）は両側の切欠き部（１７Ａ）で一対を成し、プーリ（１２Ａ）に一対だけ形成すればよいが、複数対を形成してもよい。
【００２３】
ケーブル（Ｃ）に取り付けたエンドピース（２０）を切欠き部（１７Ａ）に保持させてからケーブル（Ｃ）を掛ける方向にプーリ（１２Ａ）を回転させると、エンドピース（２０）とケーブル（Ｃ）はプーリ（１２Ａ）の回転とともに引っ張られる。
【００２４】
プーリ（１２Ａ）の回転により、切欠き部（１７Ａ）が前記ケーブルガイド（１４）の下方に至っても、前記切欠き部（１７Ａ）は、保持した前記エンドピース（２０）と前記ケーブルガイド（１４）との間にクリアランスが生じる深さ（ｄ２）を有しているので、エンドピース（２０）とケーブル（Ｃ）はケーブルガイド（１４）の下を通過することができる。
【００２５】
プーリ（１２Ａ）がさらに回転して、エンドピース（２０）が所望の位置に至ったら、エンドピース（２０）をフランジ（１３Ａ）の切欠き部（１７Ａ）から外せばよい。これによって、ケーブル（Ｃ）がプーリ（１２Ａ）に掛けられる。
【００２６】
この配索方向転換部材（１０Ａ）においても、ケーブル（Ｃ）は、プーリ（１２Ａ）を１回転させる間にプーリ（１２Ａ）に掛けることができる。ケーブルガイド（１４）を配索方向転換部材本体（１１Ａ）から外したり、折り曲げたりすることなく、配索方向転換部材（１０Ａ）にケーブル（Ｃ）を容易に組み付けることができる。
【発明の効果】
【００２７】
本発明にかかる配索方向転換部材によれば、プーリのフランジの外側から切欠き部を通してプーリ溝に入れたケーブルが切欠き部に掛かりながらプーリの回転とともに回転してプーリ溝に入り、回転が進むと切欠き部に掛けたケーブルの部分が切欠き部から外れるので、ケーブルガイドを変形したり、取り外したりすることなく、簡易にケーブルを組み付けることができる。
【００２８】
また、切欠き部はフランジの外側からケーブルをプーリ溝に通すためのものではなく、ケーブルの端部に取り付けたエンドピースを保持してケーブルをプーリに掛けるためのものの場合にも、プーリの回転に従ってケーブルがプーリ溝に入り、回転を進めてケーブルがプーリに掛かったところで切欠き部からエンドピースを外すことができるので、ケーブルガイドを変形したり、取り外したりすることなく、簡易にケーブルを組み付けることができる。
【００２９】
また、プーリに切欠き部を形成するだけで新たな部品を必要としないので、部品点数の増加がなく、組み付けに余計な工数がかからない。
【００３０】
また、プーリに切欠き部を形成するだけでよいので、部品コストが高くなることを軽減することができる。
【発明を実施するための最良の形態】
【００３１】
以下、図面に基づき本発明の好適な各種の実施の形態を説明する。
図１から図４および図９は本発明の第１の実施の形態を示している。  
図１ないし図４および図９に示すように、本実施の形態にかかる配索方向転換部材１０は、ケーブルＣを用いて遠隔操作をする装置Ａ（図９参照）などにおいて、ケーブルＣの配索方向を転換するための部材である。例えば、車両用のマニュアルブレーキ装置ＡにおけるブレーキケーブルＣの配索方向の転換に使用される。この例では、配索方向転換部材１０は、車両の車体側に固定されている。
【００３２】
配索方向転換部材１０は、配索方向転換部材本体１１（以下、本体１１）に取り付けられたプーリ１２と、該プーリ１２のフランジ１３の円周部の一部に沿って該フランジ１３の円周部とのクリアランスがケーブルＣの外径よりも小さい位置にケーブルガイド１４が配設されて本体１１に組み付けたケーブルＣが外れないようになっている。
【００３３】
本体１１は、例えば金属で作られており、ケーブルガイド１４が一体に形成されている。ケーブルガイド１４は、プーリ１２と相対する面がフランジ１３の円周部の曲率半径と略同じ曲率半径の円弧状に形成されている。本体１１には、プーリ１２の回転の中心になる回転中心軸１５が固定されている。プーリ１２は、この回転中心軸１５に回転自在に取り付けられている。
【００３４】
プーリ１２には、両側面から半径方向に広がったフランジ１３，１３が形成されている。これによって、これらフランジ１３，１３の間には、ケーブルＣが掛かる円弧状のプーリ溝１６が形成されている。
【００３５】
片側のフランジ１３の一部にはプーリ１２の側面からプーリ溝１６にケーブルＣを導くための切欠き部１７が形成されている。この切欠き部１７は、図１から図３に示すように、フランジ１３を円周に沿って一部切り欠いて形成されており、延ばしたケーブルＣをプーリ１２の側面から回転中心軸１５を通してプーリ溝１６に導ける形状に形成されている。
【００３６】
プーリ１２の側面から回転中心軸１５を通してプーリ溝１６に導いた状態は例えば図３に示したようになるので、フランジ１３の円周に沿った切欠き部１７の長さはケーブルＣを曲げて容易に切欠き部１７を通せるだけの大きさが必要である。
【００３７】
また、切欠き部１７は、フランジ１３の円周部からの深さがプーリ溝１６の底まで達していなくてもよいが、ケーブルＣを通した状態で、ケーブルＣがケーブルガイド１４に接触しないだけのクリアランスが得られる深さｄ１が必要である（図４参照）。切欠き部１７の立上り部分１７ａ，１７ｂは、入力側の立上り部分１７ａおよび出力側の立上り部分１７ｂいずれも曲線状に形成されており、ケーブルＣを通したときにケーブルＣを傷つけない形状を有している。
【００３８】
次に本発明の第１の実施の形態にかかる配索方向転換部材の作用を説明する。
配索方向転換部材１０のプーリ１２に掛けられていないケーブルＣをプーリ１２に掛けるためには、プーリ１２をケーブルＣの出力側に回転させて、切欠き部１７が現れた状態にしておく。この状態で、図３に示すように、配索方向転換部材１０に通したケーブルＣを切欠き部１７が形成されたフランジ１３の外側から切欠き部１７を通してプーリ溝１６に導く。このとき、ケーブルＣの入力側から切欠き部１７を通って出力側がプーリ溝１６に入るようにケーブルＣをセットする。
【００３９】
このようにケーブルＣをセットした後、ケーブルＣがプーリ溝１６側からフランジ１３の外側に延びる方向である入力側にプーリ１２を回転させる。図１および図３に示したように、プーリ１２が回転すると、ケーブルＣが切欠き部１７の立上り部分１７ａに係る。
【００４０】
さらにプーリ１２を同方向に回転させると、図２に示したようにプーリ１２の回転とともにケーブルＣは入力側に引っ張られる。この回転にともなって、ケーブルＣのうち立上り部分１７ａに掛かった部分よりも出力側の部分はプーリ溝１６に掛かる。
【００４１】
プーリ１２がさらに回転を続けて、切欠き部１７がケーブルガイド１４の下を通過するときは、切欠き部１７は、フランジ１３の外側からプーリ溝１６側に通されたケーブルＣがケーブルガイド１４に接触しないだけの深さｄ１を有しているので、ケーブルガイド１４が障害になることなく、ケーブルＣはケーブルガイド１４の下を通過することができる。
【００４２】
プーリ１２がさらに回転して、入力側のケーブルＣがプーリ溝１６から離れる位置に至ると、切欠き部１７を通るケーブルＣは切欠き部１７から外れるようにしてプーリ溝１６から離れる。ケーブルＣの後続部分は、出力側から直接にプーリ溝１６に入ってプーリ１２に掛かっているので、これによりケーブルＣはプーリ１２にセットされたことになる。
【００４３】
前記の出力側でケーブルＣを切欠き部１７に通してプーリ溝１６に導いてから、入力側でケーブルＣが切欠き部１７から外れるまでには、プーリ１２は１回転を要さない。
【００４４】
これにより、ケーブルガイド１４を本体１１から外したり、フランジ１３とのクリアランスがケーブルＣの外径よりも大きくなるように折り曲げたりすることなく、配索方向転換部材１０にケーブルＣを容易に掛けることができる。
【００４５】
配索方向転換部材１０にセットされているケーブルＣをプーリ１２から外す必要があるときは、プーリ１２をケーブルＣの出力側に回転させて、切欠き部１７が現れた状態にしておき、プーリ溝１６に掛かっているケーブルＣを切欠き部１７を通してフランジ１３の外側に外した状態でプーリ１２をケーブルＣの出力側に回転させればよい。プーリ１２が回転して入力側のケーブルＣがプーリ溝１６から離れる位置に至ると、切欠き部１７を通るケーブルＣは切欠き部１７からフランジ１３の外側に外すことができる。
【００４６】
なお、切欠き部１７は、片側のフランジ１３に１箇所形成すればよいが、２箇所以上に形成してもよい。また、両側のフランジ１３それぞれに形成してもよい。
【００４７】
図５から図８までは本発明の第２の実施の形態を示している。  
本実施の形態では、第１の実施の形態における切欠き部とは異なる形状と機能を有する切欠き部をプーリに形成したものである。  
なお、第１の実施の形態と同種の部位には同一符号を付し重複した説明を省略する。
【００４８】
配索方向転換部材１０Ａの配索方向転換部材本体１１Ａ（以下、本体１１Ａ）に取り付けられたプーリ１２Ａは、ケーブルＣの端部に取り付けられた円筒状のエンドピース２０を保持するための切欠き部１７Ａがフランジ１３Ａに形成されている。
【００４９】
切欠き部１７Ａは、両側のフランジ１３Ａの略同位置に同一形状に形成されている。切欠き部１７Ａをプーリ１２Ａの側方から見た形状は略Ｕ字状である。切欠き部１７Ａは、エンドピース２０を保持したときに、エンドピース２０がケーブルガイド１４に接触しないだけのクリアランスが得られる深さｄ２が必要である（図８参照）。
【００５０】
この切欠き部１７Ａは両側の切欠き部１７Ａ，１７Ａで一対を成し、この両側の切欠き部１７Ａ，１７Ａにエンドピース２０の両端部を入れることによってエンドピース２０は保持される。
【００５１】
次に本発明の第２の実施の形態にかかる配索方向転換部材の作用を説明する。
配索方向転換部材１０Ａのプーリ１２ＡにケーブルＣを掛けるためには、プーリ１２ＡをケーブルＣの出力側に回転させて、切欠き部１７Ａが現れた状態にしておく。この状態で、図７に示すように、一対の切欠き部１７Ａ，１７ＡにケーブルＣのエンドピース２０を入れて保持させ、ケーブルＣはプーリ溝１６に入れてセットする。
【００５２】
このようにケーブルＣをセットした後、ケーブルＣが入力側に引っ張られる方向にプーリ１２Ａを回転させると、ケーブルＣは出力側の後続部分がプーリ溝１６に掛かる。プーリ１２Ａがさらに回転を続けて、切欠き部１７Ａがケーブルガイド１４の下を通過するときは、切欠き部１７Ａは、エンドピース２０を保持したときに、エンドピース２０がケーブルガイド１４に接触しないだけの深さｄ２を有しているので、ケーブルＣはケーブルガイド１４の下を通過することができる。
【００５３】
プーリ１２Ａがさらに回転して、エンドピース２０が入力側の所望の位置に至ったら、エンドピース２０をフランジ１３Ａの切欠き部１７Ａから外せばよい。これによって、ケーブルＣがプーリ１２Ａに掛けられる。
【００５４】
この配索方向転換部材１０Ａにおいても、ケーブルＣは、プーリ１２Ａを１回転させる間にプーリ１２Ａに掛けることができる。ケーブルガイド１４を本体１１Ａから外したり、折り曲げたりすることなく、配索方向転換部材１０ＡにケーブルＣを容易に組み付けることができる。
【００５５】
また、配索方向転換部材１０ＡにセットされているケーブルＣをプーリ１２Ａから外す必要があるときは、前記工程を逆に進めればよい。したがって、プーリ１２ＡをケーブルＣの出力側に回転させて、切欠き部１７Ａが現れた状態にしておき、エンドピース２０を切欠き部１７Ａに保持させた状態で入力側に回転させ、エンドピース２０が切欠き部１７Ａから外せる位置に回ってきたらエンドピース２０を外せばよい。これにより、ケーブルＣを配索方向転換部材１０Ａから外すことができる。
【００５６】
なお、切欠き部１７Ａは、プーリ１２Ａに１対だけ形成すればよいが、複数対を形成してもよい。
【００５７】
なお、切欠き部１７Ａの形状は前記のように略Ｕ字状に限らず、エンドピース２０を着脱可能に保持できる形状であれば矩形やその他の形状であってもよい。
【図面の簡単な説明】
【００５８】
【図１】本発明の第１の実施の形態に係る配索方向転換部材を示す斜視図である。
【図２】図１におけるプーリとケーブルとの位置関係を示す側面図である。
【図３】図１におけるプーリとケーブルとの位置関係を示す平面図である。
【図４】図３のプーリの切欠き部を示す縦断面図である。
【図５】本発明の第２の実施の形態に係る配索方向転換部材を示す側面図である。
【図６】図５におけるプーリとケーブルとの位置関係を示す側面図である。
【図７】図５におけるプーリとケーブルとの位置関係を示す平面図である。
【図８】図７のプーリの切欠き部を示す縦断面図である。
【図９】本発明の第１の実施の形態に係る配索方向転換部材を使用する車両用のマニュアルブレーキ装置を示す側面図である。
【図１０】従来の配索方向転換部材を示す底面図である。
【符号の説明】
【００５９】
Ｃ…ケーブル
ｄ１，ｄ２…深さ  
１０，１０Ａ…配索方向転換部材
１１，１１Ａ…本体
１２，１２Ａ…プーリ
１３，１３Ａ…フランジ
１４…ケーブルガイド
１５…回転中心軸
１６…プーリ溝
１７，１７Ａ…切欠き部
１７ａ，１７ｂ…立上り部分
２０…エンドピース
【図１】
2006170238.tif 000003
【図２】
2006170238.tif 000004
【図３】
2006170238.tif 000005
【図４】
2006170238.tif 000006
【図５】
2006170238.tif 000007
【図６】
2006170238.tif 000008
【図７】
2006170238.tif 000009
【図８】
2006170238.tif 000010
【図９】
2006170238.tif 000011
【図１０】
2006170238.tif 000012